(57)【要約】多重アンテナ転送システムで遅延情報を提供する方法が開示される。時間遅延値は、時間遅延値のセットから選択される。選択された時間遅延値と関連する情報が端末に通知される。データは第１アンテナから転送され、第２アンテナからも転送される。選択された時間遅延値によって、第１アンテナからデータが転送された後に第２アンテナからデータが転送される。時間遅延値は、決定論的な方法もしくは任意の方法に基づいて選択される。【選択図】図５
2011521529.tif 000002
【特許請求の範囲】
【請求項１】
多重アンテナ転送システムで遅延情報を提供する方法であって、
時間遅延値のセットから時間遅延値を選択し、
前記選択された時間遅延値に関する情報を端末に知らせ、
第１アンテナからデータを転送した後に、前記選択された時間遅延値によって第２アンテナから前記データを転送すること、
を含み、
前記時間遅延値は、決定論的な（ｄｅｔｅｒｍｉｎｉｓｔｉｃ）方法及び任意（ｒａｎｄｏｍ）の方法に基づいて選択されることを特徴とする遅延情報提供方法。
【請求項２】
前記時間遅延値は、前記時間遅延値のセットから任意に選択されることを特徴とする、請求項１に記載の遅延情報提供方法。
【請求項３】
前記時間遅延値は、前記時間遅延値のセットにおける各時間遅延値と関連する確率（ｐｒｏｂａｂｉｌｉｔｙ）に基づいて任意に選択されることを特徴とする、請求項１に記載の遅延情報提供方法。
【請求項４】
前記任意の方法において、前記時間遅延値のセットにおける各時間遅延値に対する確率が変わることを特徴とする、請求項１に記載の遅延情報提供方法。
【請求項５】
前記時間遅延値は、前記時間遅延値のセットの順番に選択されることを特徴とする、請求項１に記載の遅延情報提供方法。
【請求項６】
前記時間遅延値は、受信機からの非巡回遅延ダイバーシティ（ｎｏｎ−ｃｙｃｌｉｃ−ｄｅｌａｙ−ｄｉｖｅｒｓｉｔｙ）情報に基づいて選択されることを特徴とする、請求項１に記載の遅延情報提供方法。
【請求項７】
前記非巡回遅延ダイバーシティ情報は、チャネル品質情報または承認（ａｃｋｎｏｗｌｅｄｇｍｅｎｔ）情報であることを特徴とする、請求項６に記載の遅延情報提供方法。
【請求項８】
前記非巡回遅延ダイバーシティ情報は、承認情報であり、該承認情報は、受信肯定確認（ｐｏｓｉｔｉｖｅ  ａｃｋｎｏｗｌｅｄｇｍｅｎｔ）及び受信否定確認（ｎｅｇａｔｉｖｅ  ａｃｋｎｏｗｌｅｇｍｅｎｔ）を含み、
前記時間遅延値のセットにおける各時間遅延値に確率を割り当てること、
前記受信否定確認が特定時間遅延値によって転送されたデータに対して受信され、前記受信否定確認の数が受信否定確認臨界値よりも大きいと、前記特定時間遅延値に関する確率を減少させ、他の時間遅延値に関する確率は増加させること、及び
前記受信肯定確認が前記特定時間遅延値によって転送されたデータに対して受信され、前記受信肯定確認の数が受信肯定確認臨界値よりも大きいと、前記特定時間遅延値に関する確率を増加させ、他の時間遅延値に関する確率は減少させること、
をさらに含むことを特徴とする、請求項７に記載の遅延情報提供方法。
【請求項９】
前記時間遅延値のセットにおける各確率の和は、１であることを特徴とする、請求項８に記載の遅延情報提供方法。
【請求項１０】
前記選択された時間遅延値に関する情報は、前記時間遅延値であることを特徴とする、請求項１に記載の遅延情報提供方法。
【請求項１１】
前記選択された時間遅延値に関する情報は、前記時間遅延値に変化がないことを前記端末に知らせる情報または変化があることを前記端末に知らせる情報であることを特徴とする、請求項１に記載の遅延情報提供方法。
【請求項１２】
前記時間遅延値は、前記時間遅延値のセットよりも小さい前記時間遅延値のサブセットから選択されることを特徴とする、請求項１に記載の遅延情報提供方法。
【請求項１３】
前記時間遅延値の選択間の時間間隔を変更することをさらに含むことを特徴とする、請求項１に記載の遅延情報提供方法。
【請求項１４】
前記時間遅延値のセットから一つ以上の追加時間遅延値を選択し、
前記選択された一つ以上の追加時間遅延値に関する情報を前記端末に知らせ、
前記選択された一つ以上の追加時間遅延値にそれぞれ該当する遅延をもって前記一つ以上の追加アンテナからデータを転送すること、
をさらに含むことを特徴とする、請求項１に記載の遅延情報提供方法。
【請求項１５】
前記多重アンテナ転送システムは、遅延ホッピング（ｄｅｌａｙ  ｈｏｐｐｉｎｇ）を用いる巡回遅延ダイバーシティベースの転送システムであることを特徴とする、請求項１に記載の遅延情報提供方法。
【請求項１６】
多重アンテナ転送システムで遅延情報を提供する方法であって、
時間遅延値のセットにおける第１時間遅延値が変更される必要があるか否かを周期的に決定し、
前記第１時間遅延値が変更される必要がないと決定されると、前記時間遅延値のセットから前記第１時間遅延値を選択し、
前記第１時間遅延値が変更される必要があると決定されると、前記時間遅延値のセットから第２時間遅延値を選択し、
前記選択された時間遅延値に関する情報を端末セットに知らせ、
前記端末セットの各端末に該当するデータを、第１アンテナから転送した後に、前記選択された時間遅延値によって第２アンテナから転送すること、
を含むことを特徴とする遅延情報提供方法。
【請求項１７】
前記第１時間遅延値は、チャネルコヒーレンス（ｃｈａｎｎｅｌ  ｃｏｈｅｒｅｎｃｅ）または周波数選択性（ｆｒｅｑｕｅｎｃｙ  ｓｅｌｅｃｔｉｖｉｔｙ）のうち一つ以上に基づいて、変更される必要があるか否かが決定されることを特徴とする、請求項１６に記載の遅延情報提供方法。
【請求項１８】
基地局は、該基地局がサービングする端末が前記端末セットに含まれているか否かを決定し、該決定は、前記基地局がサービングする各端末の速度に基づくことを特徴とする、請求項１６に記載の遅延情報提供方法。
【請求項１９】
前記第２時間遅延値は、決定論的な（ｄｅｔｅｒｍｉｎｉｓｔｉｃ）方法及びランダム（ｒａｎｄｏｍ）の方法に基づいて選択されることを特徴とする、請求項１６に記載の遅延情報提供方法。
【請求項２０】
前記第２時間遅延値が前記決定論的方法に基づいて選択される時、前記第２時間遅延値は常に前記第１時間遅延値と異なることを特徴とする、請求項１９に記載の遅延情報提供方法。
【請求項２１】
多重アンテナ転送システムで遅延情報を提供する方法であって、
複数の基地局における各基地局に対する時間遅延値のセットから時間遅延値を選択し、
前記選択された時間遅延値に関する情報を前記各基地局に対応する端末セットに知らせ、
前記各基地局が、前記選択された時間遅延値によって、前記複数のアンテナを通じて転送間に遅延をもって該当する端末セットにデータを複数回転送すること、
を含み、
前記時間遅延値は、決定論的な（ｄｅｔｅｒｍｉｎｉｓｔｉｃ）方法及びランダム（ｒａｎｄｏｍ）の方法に基づいて選択されることを特徴とする遅延情報提供方法。
【請求項２２】
前記複数の基地局中の第１基地局に対して選択された時間遅延値は、前記複数の基地局中の第２基地局に対して選択された時間遅延値と異なることを特徴とする、請求項２１に記載の遅延情報提供方法。
【請求項２３】
前記複数の基地局中の第１基地局に対して選択された時間遅延値は、前記複数の基地局中の第２基地局に対して選択された時間遅延値と同一であることを特徴とする、請求項２１に記載の遅延情報提供方法。
【発明の詳細な説明】
【技術分野】
【０００１】
本発明は、巡回遅延ダイバーシティ（ＣＤＤ：Ｃｙｃｌｉｃ  ｄｅｌａｙ  ｄｉｖｅｒｓｉｔｙ）ベースの転送に係り、特に、遅延ホッピング（ｄｅｌａｙ  ｈｏｐｐｉｎｇ）を用いるＣＤＤベースの転送に関するものである。
【背景技術】
【０００２】
多重アンテナを用いる転送及び／または受信は、莫大な容量増加の点で学界及び産業界において大きく注目されてきている。送信側におけるチャネル状態情報の利用性によって、動作モードは２つのモードに分類され、開ループ（ｏｐｅｎ−ｌｏｏｐ）動作モード及び閉ループ（ｃｌｏｓｅｄ−ｌｏｏｐ）動作モードがそれである。開ループ動作において、基地局は端末からチャネル状態情報を受信しない。閉ループ動作においては、基地局は一部または全体チャネル状態情報を端末から受信する。開ループ転送は、チャネル状態情報の欠如によって性能損失を招くが、単純な動作を提供する。巡回遅延ダイバーシティ（ＣＤＤ）では、同じ信号を異なる遅延をもってアンテナ要素（ａｎｔｅｎｎａ  ｅｌｅｍｅｎｔ）から転送することができる。例えば、２個のアンテナ要素がある時、第２アンテナ要素から転送された信号は、第１アンテナ要素から転送された信号をずらした形態（あるいはバージョン）である。一つの固定した遅延値（または、２以上のアンテナ要素が転送のために採用されると、固定した遅延値のセット）は、開ループ動作で用いられる。１つの固定した値は一部のユーザにはより良い受信品質を提供するが、他の一部のユーザへの利得はそれほど大きくない。このような問題点は、各ユーザがセルラー通信システムにおいて最上のメトリック（ｂｅｓｔ  ｍｅｔｒｉｃ）（例えば、ＳＩＮＲ）を提供する遅延値を計算して該値を基地局のような中央制御器（ｃｅｎｔｒａｌ  ｃｏｎｔｒｏｌｌｅｒ）にフィードバックする必要がある閉ループ動作を通じて各ユーザ（あるいは、ユーザのグループ）にそれぞれ異なる最善の（または、次善の）遅延値を割り当てることによって克服することができる。しかし、閉ループ方法は、転送オーバーヘッドを増加させ、結果として容量減少（ｃａｐａｃｉｔｙ  ｒｅｄｕｃｔｉｏｎ）につながる。なお、フィードバック過程における本来の遅延のため、中央制御器で用いられる遅延値は、期限切れ（ｏｕｔ−ｏｆ  ｄａｔｅ）の値になることもある。
【発明の概要】
【発明が解決しようとする課題】
【０００３】
本発明の目的は、多重アンテナ転送システムにおいて遅延情報を提供する方法を提供することにある。
【０００４】
本発明で達成しようとする目的は、上記の目的に制限されず、言及していない他の目的は、以下の記載から、本発明の属する技術分野における通常の知識を有する者には明らかになるであろう。
【課題を解決するための手段】
【０００５】
上記の目的を達成するために、本発明の一実施例に係る多重アンテナ転送システムにおいて遅延情報を提供する方法が提供される。時間遅延値は、時間遅延値のセットから選択される。端末に、選択された時間遅延値に関する情報が通知される。データは第１アンテナからも転送され、第２アンテナからも転送される。選択された時間遅延値によって、第１アンテナからデータが転送された後に第２アンテナからデータが転送される。時間遅延値は、決定論的な方法またはランダム方法に基づいて選択される。
【０００６】
一実施例として、時間遅延値は、時間遅延値のセットから任意に選択される。
【０００７】
一実施例として、時間遅延値は、時間遅延値のセットの各時間遅延値と関連する確率（ｐｒｏｂａｂｉｌｉｔｙ）に基づいて任意に選択される。
【０００８】
一実施例として、ランダム方法において、時間遅延値のセットにおいて各時間遅延値の確率は変わる。
【０００９】
一実施例として、時間遅延値は、時間遅延値のセットの順番に選択される。
【００１０】
一実施例として、非巡回遅延ダイバーシティ情報は、チャネル品質情報または承認（ａｃｋｎｏｗｌｅｄｇｅｍｅｎｔ）情報である。
【００１１】
一実施例として、確率は、時間遅延値のセットの各時間遅延値に割り当てられる。受信否定確認（ｎｅｇａｔｉｖｅ  ａｃｋｎｏｗｌｅｄｇｅｍｅｔ）が特定時間遅延値によって転送されたデータに対して受信され、該受信否定確認の数が受信否定確認臨界値よりも大きいと、前記特定時間遅延値に関する確率を減少させ、他の時間遅延値に関する確率は増加させる。受信肯定確認（ｐｏｓｉｔｉｖｅ  ａｃｋｎｏｗｌｅｄｇｅｍｅｔ）が前記特定時間遅延値によって転送されたデータに対して受信され、前記受信肯定確認の数が受信肯定確認臨界値よりも大きいと、前記特定時間遅延値に関する確率を増加させ、他の時間遅延値に関する確率は減少させる。
【００１２】
一実施例として、時間遅延値のセットにおいて各確率の和は１である。
【００１３】
一実施例として、選択された時間遅延値に関する情報は、前記時間遅延値である。
【００１４】
一実施例として、選択された時間遅延値に関する情報は、前記時間遅延値に変化がないかまたは変化があるかを前記端末に知らせる情報である。
【００１５】
一実施例として、時間遅延値は、時間遅延値のセットよりも小さい前記時間遅延値のサブセットから選択される。
【００１６】
一実施例として、時間遅延値の選択間の時間間隔は変更される。
【００１７】
一実施例として、少なくとも一つの追加時間遅延値が、時間遅延値のセットから選択される。端末には、選択された一つ以上の追加時間遅延値に関する情報が通知される。データは、少なくとも一つの追加アンテナから転送される。データは、選択された少なくとも一つの追加時間遅延値のそれぞれに対応する遅延をもって少なくとも一つの追加アンテナから転送される。
【００１８】
一実施例として、多重アンテナ転送システムは、遅延ホッピング（ｄｅｌａｙ  ｈｏｐｐｉｎｇ）を用いる巡回遅延ダイバーシティ（ｃｙｃｌｉｃ  ｄｅｌａｙ  ｄｉｖｅｒｓｉｔｙ）ベースのシステムである。
【００１９】
上記の目的を達成するための、本発明の他の実施例に係る多重アンテナ転送システムにおいて遅延情報を提供する方法が提供される。この方法は、時間遅延値のセットの第１時間遅延値を変更する必要があるか否かを周期的に決定し；前記第１時間遅延値を変更する必要がないと決定されると、前記時間遅延値のセットから前記第１時間遅延値を選択し；前記第１時間遅延値を変更する必要があると決定されると、前記時間遅延値のセットから第２時間遅延値を選択し；前記選択された時間遅延値に関する情報を端末セットに知らせ；及び、前記端末セットの各端末に該当するデータを、第１アンテナから転送した後に、前記選択された時間遅延値によって第２アンテナから転送すること、を含む。
【００２０】
一実施例として、第１時間遅延値をチャネルコヒーレンス（ｃｈａｎｎｅｌ  ｃｏｈｅｒｅｎｃｅ）または周波数選択性（ｆｒｅｑｕｅｎｃｙ  ｓｅｌｅｃｔｉｖｉｔｙ）のうち一つ以上に基づいて変更する必要があるか否かが決定される。
【００２１】
一実施例として、基地局は、該基地局がサービングする端末が、前記端末セットに含まれているか否かを決定し、これは、前記基地局がサービングする各端末の速度に基づいて決定する。
【００２２】
一実施例として、第２時間遅延値は、決定論的な（ｄｅｔｅｒｍｉｎｉｓｔｉｃ）方法及びランダム（ｒａｎｄｏｍ）方法に基づいて選択される。
【００２３】
一実施例として、前記第２時間遅延値が前記決定論的方法に基づいて選択される時、前記第２時間遅延値は前記第１時間遅延値と常に異なる。
【００２４】
上記の技術的課題を達成するための、本発明のさらに他の実施例に係る多重アンテナ転送システムにおいて遅延情報を提供する方法が提供される。この方法は、複数の基地局の各基地局に対する時間遅延値のセットから時間遅延値を選択し；前記選択された時間遅延値に関する情報を、前記各基地局に対応する端末セットに知らせ；及び、前記各基地局が、前記選択された時間遅延値によって前記複数のアンテナを通じた転送間においてデータをずらして該当の端末セットに複数回転送すること、を含み、前記時間遅延値は、決定論的な方法及びランダム方法に基づいて選択される。
【００２５】
一実施例として、前記複数の基地局のうち第１基地局に対して選択された時間遅延値は、前記複数の基地局のうち第２基地局に対して選択された時間遅延値と異なる。
【００２６】
一実施例として、前記複数の基地局のうち第１基地局に対して選択された時間遅延値は、前記複数の基地局のうち第２基地局に対して選択された時間遅延値と同一である。
【発明の効果】
【００２７】
本発明によれば、開ループ（ｏｐｅｎ−ｌｏｏｐ）ＣＤＤベースの転送においても、固定した遅延値が全ユーザに性能利得を提供し、通信性能を向上させることができる。本発明から得られる効果は、上述した効果に制限されず、言及していない他の効果が、以下の記載から、本発明の属する技術分野における通常の知識を有する者にとっては明らかになるであろう。
【図面の簡単な説明】
【００２８】
本発明に関する理解を助けるために詳細な説明の一部として含まれる、添付の図面は、本発明の実施例を提供し、詳細な説明と共に本発明の技術的思想を説明する。
【００２９】
【図１】各アンテナ転送間において時間遅延のない多重アンテナ転送システムを示す図である。
【図２】図１の多重アンテナ転送のための直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）シンボルの数及び副搬送波の数に対するチャネル利得を示すプロットである。
【図３】ＣＤＤの具現のために各アンテナ転送間に時間遅延を有する多重アンテナ転送システムを示す図である。
【図４】多重アンテナ転送のためのＯＦＤＭシンボルの数及び副搬送波の数に対するチャネル利得を示すプロットである。
【図５】ＣＤＤ遅延サイズの影響を示す図である。
【図６】本発明の一実施例による多重アンテナシステムで遅延情報を提供する方法を示すフローチャートである。
【図７】本発明の一実施例による時間遅延値のセットに対して確率を更新する方法を示すフローチャートである。
【図８】本発明の一実施例による多重アンテナ転送システムにおいて遅延情報を提供する方法を説明するための図である。
【発明を実施するための形態】
【００３０】
開ループ（ｏｐｅｎ−ｌｏｏｐ）巡回遅延ダイバーシティ（Ｃｙｃｌｉｃ  Ｄｅｌａｙ  Ｄｉｖｅｒｓｉｔｙ：ＣＤＤ）ベースの転送のために、固定した遅延値は一部のユーザには性能利得を提供しないことがある。性能利得を得るために閉ループＣＤＤベースの転送を用いることができるが、この閉ループＣＤＤベースの転送はオーバーヘッドを増加させる。また、期限切れ（ｏｕｔ  ｏｆ  ｄａｔｅ）の遅延値のため、閉ループＣＤＤベースの転送では制限された性能利得を得たり、或いは、性能利得が得られない場合もある。本発明の実施例では、従来の開ループＣＤＤベースの転送における欠点を克服できる開ループＣＤＤベースの転送のための方法を提供する。提供されるＣＤＤベースの転送方法は、遅延ホッピングを通じて従来における欠点を克服する。
【００３１】
図１は、各アンテナ転送間に時間遅延のない多重アンテナ転送システム１００を示す図である。図２は、図１の多重アンテナ転送のための直交周波数分割多重化（ＯＦＤＭ）シンボルの数及び副搬送波の数に対するチャネル利得を示すプロットである。図１に示すように、ＯＦＤＭ信号生成器１０１は、転送のための複数のアンテナ要素（ａｎｔｅｎｎａ  ｅｌｅｍｅｎｔｓ）１０２に同一信号の多数のバージョン（ｍｕｌｔｉｐｌｅ  ｖｅｒｓｉｏｎｓ）を提供する。ダイバーシティ方式は、互いに異なる特性を有する２以上の通信チャネルを用いることによってメッセージ信号の信頼度を高める。
【００３２】
図３は、ＣＤＤ具現のために各アンテナ転送間に時間遅延を有する多重アンテナ転送システム３００を示す図である。図４は、多重アンテナ転送のためのＯＦＤＭシンボルの数及び副搬送波の数に対するチャネル利得を示すプロットである。ＣＤＤは、多重入力多重出力（Ｍｕｌｔｉｐｌｅ  Ｉｎｐｕｔ  Ｍｕｌｔｉｐｌｅ  Ｏｕｔｐｕｔ：ＭＩＭＯ）チャネルを、単一入力多重出力（Ｓｉｎｇｌｅ  Ｉｎｐｕｔ  Ｍｕｌｔｉｐｌｅ  Ｏｕｔｐｕｔ：ＳＩＭＯ）チャネルに変換し、人為的な（ａｒｔｉｆｉｃｉａｌ）多重経路（すなわち、多重アンテナから時間遅延された複製された（ｒｅｐｌｉｃａｔｅｄ）信号）を導入する。図４は、ＣＤＤを用いるＯＦＤＭベースの通信システムに対して、図２と比較して改善されたチャネル利得を示す図である。
【００３３】
図５は、ＣＤＤ遅延サイズの影響を示す図である。遅延がない（ｚｅｒｏ  ｄｅｌａｙ）場合、一部ユーザ（ＵＥ１）の信号対干渉及び雑音比（Ｓｉｇｎａｌ  ｔｏ  Ｉｎｔｅｒｆｅｒｅｎｃｅ  Ｎｏｉｓ  Ｒａｔｉｏ：ＳＩＮＲ）は、全周波数に対して必要な臨界値よりも高い反面、他のユーザ（ＵＥ２）の信号対干渉及び雑音比（ＳＩＮＲ）は、全周波数に対して臨界値よりも低い。小さい遅延ＣＤＤの場合、ユーザ端末１（ＵＥ１）は、臨界値よりも高いＳＩＮＲを有する副帯域（ｓｕｂ−ｂａｎｄ）に割り当てられることができる。ユーザ端末２（ＵＥ２）に対して、同一の副帯域は臨界値よりも低いＳＩＮＲを有し、互いに異なる副帯域が端末２（ＵＥ２）に割り当てられる。小さい遅延ＣＤＤは、周波数領域でマルチユーザダイバーシティを提供する。すなわち、一人のユーザがある場合、一人のユーザは周波数スペクトルの１／２のみを用いることができる。しかし、多数のユーザがある場合では、多数のユーザは全体周波数スペクトルを用いることができる。ＣＤＤは、周波数非選択的な（ｆｒｅｑｕｅｎｃｙ−ｆｌａｔ）チャネルを周波数選択的（ｆｒｅｑｕｅｎｃｙ  ｓｅｌｅｃｔｉｖｅ）チャネルに変換する。例えば、二人のユーザがある場合、周波数非選択的なチャネルで端末１が端末２に比べてチャネル状態が良好であれば、基地局は、転送のために端末１を選択し、端末２にはサービングを行わない。周波数選択的チャネルにおいて、副帯域と呼ばれる周波数帯域の一部分は、端末１に対して良好であり、一部の他の周波数帯域は端末２に対して良好である。各ユーザは、良好な条件を示す副帯域を通じてサービングを受けることができる。大きい遅延ＣＤＤの場合、ユーザ端末１及びユーザ端末２が同一周波数副帯域に割り当てられることができ、端末１及び端末２は、割り当てられた周波数副帯域内で臨界値よりも高いＳＩＮＲを有するより狭い副帯域に割り当てられる。大きい遅延ＣＤＤは、小さい遅延ＣＤＤよりも良好な特定周波数の利用を許容することによって周波数ダイバーシティを提供する。大きいＣＤＤ転送での遅延値に対して、ＯＦＤＭシンボル時間の２／３まで３ＧＰＰ  ＬＴＥシステムで定義されている。
【００３４】
ＣＤＤベースの転送で、端末の知っているチャネル応答に周波数選択性を誘導することによって端末に周波数ダイバーシティ利得が提供される。図３と関連して述べたように、周波数選択性は、全アンテナ要素にわたって同一信号を適用し、アンテナ要素を通じた転送タイミングを遅延させることによって誘導することができる。例えば、基地局が２個の転送アンテナを有している時、第２アンテナからの転送は、固定した時間区間（ｄｕｒａｔｉｏｎ）の間に遅延される。特定利得を得るための周波数選択性（または、周波数ダイバーシティ利得）程度の要求条件は、各端末が経るチャネル条件によって各端末ごとに異なることがある。郊外の（ｓｕｂｕｒｂａｎ）マクロセルにおける端末は、市内のマイクロセルにおける端末に比べて大きい遅延値を必要とすることがある。郊外のマクロセルにおいても、特定性能を達成するために必要な遅延値は端末別に異なることがある。より短い遅延拡散を有する端末は、より長い遅延拡散を有する端末に比べて、より大きい遅延値を必要とすることがある。また、一つの時間例（ｔｉｍｅ  ｉｎｓｔａｎｃｅ）で選択された遅延値は、他の時間で要求される特定性能を提供できない場合もある。選択された遅延値の一貫していない性能は、ドップラー拡散と知られたチャネルの時間変化に起因するものである。
【００３５】
上述したように、一つの固定した遅延値がシステムにおける全端末に適合するわけではなく、各端末は、異なる遅延値を必要とすることがある。異なる遅延値が各端末に割り当てられる場合、割り当てられた遅延値が常にチャネルに対して最適であるわけにはいかない。したがって、時間上に端末に割り当てられた遅延値を変更させるための方法が必要とされる。割り当てられた遅延値は、端末からのＣＤＤフィードバックによって変更されることもでき（閉ループ）、基地局が独立して変更することもできる（開ループ）。本発明の実施例は、端末セットに割り当てられた遅延値を基地局が独立して変更する開ループ方法のために行われる。ここで、端末セットは、基地局がサービングする一つの端末、端末のサブセット、または、端末の全体セットである。本発明の一実施例では、割り当てられた遅延値を、基地局に提供された事前に定義された遅延値のセットから選択することができる。
【００３６】
図６は、本発明の一実施例による多重アンテナシステムで遅延情報を提供する方法を示すフローチャートである。本発明の一実施例において、各基地局（あるいは、セクター）に、割り当てられた遅延値のセットが提供される（６００）。このセットは、他の基地局に提供されたセットと部分的にまたは全体的に重なり合ったり、または、別個とされることができる。例えば、第１基地局には遅延値Ｔ１、Ｔ３、Ｔ５及びＴ６のセットが割り当てられることができ、第２基地局には遅延値Ｔ２、Ｔ３、Ｔ４及びＴ７のセットが割り当てられることができる。この場合、第２基地局に割り当てられたセットは、第１基地局に割り当てられたサブセットと部分的に重なる。
【００３７】
基地局は、端末セットに対する時間遅延値が変更される必要があるか否かを周期的に決定する（６０１）。端末セットは、基地局がサービングする一つの端末、端末のサブセット、または端末の全体セットであって良い。基地局は、チャネルコヒーレンス及び／または周波数選択性に基づいて時間遅延値を変更することを決定することができる。時間遅延値が変更される必要があると、基地局は、端末セットに対して時間遅延値を選択する（６０２）。端末セットが基地局のサービングする端末のサブセットであれば、基地局は、時間遅延値が変更される必要があるか否か決定し、自身がサービングする端末の全体セットをなす端末の他のサブセットのそれぞれに対して新しい時間遅延値を割り当てる。
【００３８】
基地局は、決定論的な方法（ｄｅｔｅｒｍｉｎｉｓｔｉｃ  ｍｅｔｈｏｄ）（例えば、事前に決定された方法）に基づいて時間遅延値を選択する。決定論的な選択で、時間遅延値は、割り当てられた時間遅延値の順番に選択されることができる。他の例として、決定論的な選択で、時間遅延値は、割り当てられたセットにおいて要素の巡回シフト（ｃｙｃｌｉｃ  ｓｈｉｆｔ）に基づいて選択されることができる。任意の選択で、基地局は、割り当てられた時間遅延値の各時間遅延値に割り当てられた確率の影響下に、割り当てられた時間遅延値から時間遅延値を選択することができる。割り当てられた時間遅延値において時間遅延値の確率分布は同等に分布したり、集められた統計または端末からのフィードバックのような受信機からの非巡回遅延ダイバーシティ情報に基づいて更新されることができる。
【００３９】
続いて、基地局は、選択された時間遅延値に関する情報を端末セットに知らせる（６０３）。基地局は、正確な通知方法（ｅｘａｃｔ  ｉｎｆｏｒｍｉｎｇ  ｍｅｔｈｏｄ）または差等通知方法（ｄｉｆｆｅｒｅｎｔｉａｌ  ｉｎｆｏｒｍｉｎｇ  ｍｅｔｈｏｄ）を採用することができる。正確な通知方法で、基地局は、自身の利用する正確な時間遅延値を端末セットに通知する。差等通知方法で、基地局は、自身に割り当てられた時間遅延値のセットから端末セットに時間遅延値のセットを提供し、基地局は端末セットに現在の遅延値が維持されるまたは異なる時間遅延値が用いられる旨を通知する。端末は、異なる時間遅延値が用いられる旨が通知されると、提供された時間遅延値のセットにおいてどの時間遅延値が基地局により選択されたかを決定する。正確な通知方法を差等方法と結合することもできる。正確な時間遅延値は、事前に決定された時間間隔で通知されることができ、差等通知は、二つの連続した正確な通知の間に用いられることができる。正確な通知方法は、単に１ビットのみを要求する差等通知方法に比べて多いビットを使用する。
【００４０】
正確な通知方法は、周期的あっても良く非周期的であっても良い。正確な通知周期的モードで、時間遅延値に変化が無い場合にも基地局は周期的に端末セットに正確な時間遅延値を知らせる。通知された周期（すなわち、２つの連続した通知メッセージ間の時間間隔）は、端末の経るチャネル条件によって調整可能である。例えば、端末が固定（ｓｔａｔｉｏｎａｒｙ）していると、周期を大きくすることができる。そして、端末が動いていると、周期を小さくすることができる。正確な通知非周期的モードで、基地局は、時間遅延値に変化がある時に限って正確な時間遅延値を端末セットに通知する。差等通知方法は、周期的であり、毎度定義された間隔で現在の時間遅延値を変更するまたは維持する必要があるかを端末セットに通知する。端末セットに時間遅延値に関する情報が通知された後、端末セットの各端末に対して、基地局は、選択された時間遅延値によってＮ個のアンテナ要素から該当の同一データを転送する（６０４）。一実施例において、Ｎ個のアンテナ要素に対する時間遅延値は０、Ｔ、２Ｔ、３Ｔ、…、（Ｎ−１）Ｔであり、ここで、Ｔは、基地局の利用する時間遅延値である。このように、アンテナ要素を通じた各連続した転送間における時間遅延値はＴと同一である。
【００４１】
図７は、本発明の一実施例による時間遅延値のセットに対して確率を更新する方法を示すフローチャートである。図７は、６０２段階の選択方法が任意の方法に基づいていると、基地局が、割り当てられうる確率を有する非ＣＤＤベースのフィードバックを受信する。図７に示すように、基地局は非ＣＤＤベースのフィードバックを端末から受信する（７００）。非巡回的ＣＤＤベースのフィードバックは、端末からの承認フィードバック（ａｃｋｎｏｗｌｅｄｇｅｍｅｎｔ  ｆｅｅｄｂａｃｋ）またはチャネル品質フィードバックを含むことができる。承認フィードバック及びチャネル品質フィードバックは、データ転送のノーマル動作の一部であり、現存の情報（ｅｘｉｓｔｉｎｇ  ｉｎｆｏｒｍａｔｉｏｎ）は、ＣＤＤベースの転送のために再使用され、これにより、開ループ動作が維持される。
【００４２】
非ＣＤＤベースのフィードバックを用いる場合、基地局は、各時間遅延値に確率を割り当てる。基地局は、事前に決定された時間間隔における負帰還（ｎｅｇａｔｉｖｅ  ｆｅｅｄｂａｃｋ）の数が、特定時間遅延値で転送されるデータに対する負臨界値（ｎｅｇａｔｉｖｅ  ｔｈｒｅｓｈｏｌｄ）よりも大きいと、セットにおいて特定時間遅延値と関連した確率を減少させ、他の時間遅延値に対して確率を増加させる（７０１／７０２）。基地局は、特定時間遅延値と関連した確率を増加させ、事前に決定された時間間隔における正帰還（ｐｏｓｉｔｉｖｅ  ｆｅｅｄｂａｃｋ）の数が特定時間遅延値で転送されるデータに対する正臨界値（ｐｏｓｉｔｉｖｅ  ｔｈｒｅｓｈｏｌｄ）よりも大きいと、セットにおいて特定時間遅延値と関連した確率を増加させ、他の時間遅延値に対する確率を減少させる（７０１／７０３）。確率は、調整可能であり、確率の和は１である（すなわち、１００％）。基地局は、確率の影響下に時間遅延値を任意に選択する（７０４）。上述したように、選択は、周期的または非周期的とすることができる。正確な通知方法が採用される場合、選択は、非周期的または周期的とすることができる。差等通知方法が採用される場合、選択は周期的とすることができる。
【００４３】
最善の実施例が上記方法を証明する。基地局には時間遅延値Ｔ２、Ｔ３、Ｔ５、及びＴ６のセットが割り当てられ、基地局は任意の選択方法を採用し、基地局は周期的に特定端末に対して時間遅延値を変更する必要があるとしよう。基地局が時間遅延値を変更する必要があると決定すると、基地局は、割り当てられた時間遅延値Ｔ２、Ｔ３、Ｔ５、及びＴ６のセットから時間遅延値を選択する。基地局は、これらの各時間遅延値に初期に２５％の確率を割り当てることができる。基地局は当初Ｔ３を選択したと仮定する（７０４）。その後、基地局はデータを転送する時に時間遅延値Ｔ３を使用する。基地局が充分のフィードバック（すなわち、データ転送に対する受信否定確認応答（ｎｅｇａｔｉｖｅ  ａｃｋｎｏｗｌｅｄｇｅｍｅｎｔ）のような負臨界値よりも大きいフィードバック数）を端末セットから受信する場合（７００）、時間遅延値Ｔ３が用いられる時には端末の性能が劣化するという証拠を提供するもので（７０１）、基地局は、Ｔ３の確率を１９％に減少させることができ、Ｔ１、Ｔ５、Ｔ６の確率を２７％に増加させることができる（７０２）。次に、基地局は確率と関連したＴ１を任意に選択すると仮定しよう（７０４）。基地局は、データを転送する時に時間遅延値Ｔ１を使用する。基地局が充分のフィードバック（すなわち、データ転送に対する受信肯定確認応答（ｐｏｓｉｔｉｖｅ  ａｃｋｎｏｗｌｅｄｇｅｍｅｎｔ）のような正の臨界値よりも大きいフィードバック数）を端末セットから受信する場合、時間遅延値Ｔ１が用いられる時に（７０１）端末の性能が良くなるという証拠を提供するもので、基地局は、Ｔ１の確率を３３％に増加させることができ、Ｔ３の確率を１７％に、Ｔ５の確率を２５％に、Ｔ６の確率を２５％に減少させることができる。
【００４４】
図６と関連して説明した通り、一実施例において、同一データが各遅延値０、Ｔ、２Ｔ、…、（Ｎ−１）ＴでＮ個のアンテナから転送される（ここで、Ｔは、選択された時間遅延値である）。一実施例において、端末セットには、正確な通知方法及び／または差等通知方法によって通知される（６０３）。差等通知方法及び正確な通知方法の両方も、端末セットは最初に基地局から基地局の選択した時間遅延値のセットを受け取る。差等通知方法で、端末セットは、提供された時間遅延値のセットからとの時間遅延値が選択されるかを決定しなければならない。
【００４５】
しかし、他の実施例において、連続する各転送間で時間遅延値は一つの時間遅延値の倍数（ｍｕｌｔｉｐｌｅ）ではない。このような実施例で、正確な通知方法及び差等通知方法の両方において、端末セットには、一つの時間遅延値よりは時間遅延値のセットが提供される。例えば、Ｎ＝３であり、基地局には時間遅延値Ｔ１、Ｔ３、Ｔ５、及びＴ６が割り当てられたとすれば、基地局は端末に時間遅延値のセットである｛｛Ｔ１，Ｔ３｝、｛Ｔ１，Ｔ５｝、｛Ｔ５，Ｔ６｝｝を提供することができる。正確な通知方法で、基地局は、自身が１番目、２番目、または３番目の時間遅延値セットを用いるか否かを端末セットに通知する。差等通知方法で、基地局は、時間遅延値のセットを維持するかまたは変更するかを端末セットに通知し、以降、端末セットは、基地局が１番目、２番目、または３番目の時間遅延値セットを用いるか否かを決定しなければならない。このような実施例で、基地局は、提供された時間遅延値のセットにおいて各時間遅延値セットに確率を割り当てる。このように、基地局は、｛Ｔ１，Ｔ３｝、｛Ｔ１，Ｔ５｝、｛Ｔ５，Ｔ６｝にそれぞれ別個の確率を割り当てる。
【００４６】
時間遅延値が任意に選択される比率は、各端末セットの移動性に依存する。基地局が、特定端末セットに新しい時間遅延値が必要であると決定する時、基地局は、新しい時間遅延値を選択する。上述したように、端末からのフィードバックはＣＤＤベースの転送と関連しては必須ではないが、ノーマル動作モード（すなわち、非ＣＤＤベースの転送）では必須でありうる。ＯＦＤＭＡで、一つのＯＦＤＭシンボルは多数のユーザのための情報を搬送する。基地局は、フィードバック及びチャネル品質フィードバックのような特定端末セットが提供したフィードバックから計算された確率分布に基づいて時間遅延を選択することができる。
【００４７】
互いに異なる遅延値のサブセット（部分的に重なったりまたは互いに素な）が各基地局またはセクターに割り当てられる時、セル境界の端末は、多数の基地局またはセクターからの転送から、より豊富な（ｒｉｃｈｅｒ）周波数選択的混合チャネル（ｃｏｍｐｏｓｉｔｅ  ｃｈａｎｎｅｌ）を経験することができる。これは、順に、セル境界領域でより大きい周波数ダイバーシティ利得を端末に提供することができ、よって、全体システム処理量（ｔｈｒｏｕｇｈｐｕｔ）が増大する。各基地局またはセクターは、巡回シフティングにおいて時間遅延値セットから互いに異なる開始遅延値を使用することができる。この場合に、全ての基地局は同一の時間遅延値セットを使用するが、巡回シフティングに対して互いに異なる開始点を用いる。また、各基地局またはセクターは、セクター内で集められた統計から独立して時間遅延値を選択することもできる。
【００４８】
図８は、本発明の一実施例による多重アンテナ転送システムにおいて遅延情報を提供する方法を説明する図である。特に、図８は、メッセージ＿タイプ＿Ｔ１及びメッセージ＿タイプ＿Ｔ２のタイミング関係の例を示す。図８で、Ｔ１、Ｔ２、Ｔ３、Ｔ４のように４個の時間遅延値があり、各時間遅延値は、４個の物理フレーム区間の間に維持され、端末セットには、次の時間遅延値を３個の物理フレーム時間に先立って通知される。図８に示すように、２個のメッセージタイプがある（メッセージ＿タイプ＿Ｔ１及びメッセージ＿タイプ＿Ｔ２）。
【００４９】
メッセージ＿タイプ＿Ｔ１は、時間遅延値または利用可能な時間遅延値の事前に定義されたサブセットを端末セットに提供する。メッセージ＿タイプ＿Ｔ１は、システムワイド（ｓｙｓｔｅｍ−ｗｉｄｅ）またはセクターワイド放送メッセージとして転送されることができ、時々転送されることができる。メッセージ＿タイプ＿Ｔ１は、反復的な事前に決定された遅延ホッピングシーケンスの開始と一致することができる。例えば、事前に定義された利用可能な時間遅延値のサブセットは、４個の時間遅延値Ｔ１，Ｔ２，Ｔ３，Ｔ４を含み、各選択された時間遅延値は、４個の物理フレーム区間に関するものであり、メッセージ＿タイプ＿Ｔ１は、毎１６個物理フレームに対して一度転送されることができる。
【００５０】
メッセージ＿タイプ＿Ｔ２は、正確な通知モードで特定時間遅延値を端末セットに提供し、差等通知モードでその時間遅延値を変更することを端末セットに要請する。正確な通知モードは情報を搬送するために多くのビットを必要とするが、端末セットにおいてチャネル推定に役立つ。正確な通知モードで、メッセージ＿タイプ＿Ｔ２は、選択された時間遅延値を提供する。差等通知モードで、メッセージ＿タイプ＿Ｔ２は、端末セットにその時間遅延値を維持するか、あるいはは、変更することを要請する。時間遅延値の変更が要請される時、端末セットの各端末は、その時間遅延値を、メッセージ＿タイプ＿Ｔ１により基地局が提供した事前に設定された利用可能な遅延値のうちの他の時間遅延値に変更する。また、メッセージ＿タイプ＿Ｔ２は、端末セットに、特定時間遅延値を適用する区間または連続するメッセージ＿タイプ＿Ｔ２メッセージの転送間の時間間隔に関する情報を提供する。差等通知モードで、この情報は、選択的にメッセージ＿タイプ＿Ｔ１に含まれることができる。
【００５１】
差等通知モードで、基地局が端末セットに時間遅延値を変更することを要請する時、端末セットの各端末は、基地局が選択した時間遅延値を決定しなければならない。基地局は、時間遅延値を、利用可能なサブセットから任意に選択したり、割り当てられた確率と関係して選択したり、または、決定論的な方法で選択したりすることができる。差等通知モードで、端末セットの各端末は、選択された時間遅延値を決定しなければならなく、また、特定時間遅延値を適用しなければならない。例えば、基地局が４個の時間遅延値Ｔ１、Ｔ２、Ｔ３、Ｔ４をメッセージ＿タイプ＿Ｔ１を通じて端末セットに割り当て、基地局は任意に時間遅延値Ｔ３を選択する一方で、端末セットが現在時間遅延値Ｔ２を用いていると、端末セットの各端末は、基地局が時間遅延値Ｔ１、Ｔ３またはＴ４を選択したかを決定し、基地局からのデータ受信を適切に予想するために、基地局が選択するように決定された時間遅延値を適用しなければならない。
【００５２】
図８と関連した説明は、一つの時間遅延値がＮ個のアンテナ要素に用いられる時に適用される。各アンテナ要素を通じた連続する転送間の各遅延は、一つの時間遅延値と同一である。多数の時間遅延値が用いられる場合（上述した本発明の他の実施例を参照）、正確な通知モードでメッセージ＿タイプ＿Ｔ１は時間遅延値のセットを含む。そして、メッセージ＿タイプ＿Ｔ２は、時間遅延値セットのうちどのセットが基地局の転送のために用いられるかを端末セットに知らせる回数を含む。多数の時間遅延値が用いられると、差等通知モードで、メッセージ＿タイプ＿Ｔ１は、正確な通知モードでのメッセージ＿タイプ＿Ｔ１との同じ情報を含む。
【００５３】
上述したように、基地局は自身のサービングする各端末セットに対して時間遅延値を選択する。例えば、特定基地局によりサービングされる１００個の端末があるとする。第１端末セットは、１００個の端末のうち２０個の端末を含むことができ、第２端末セットは、残り８０個の端末のうち３０個の端末を含むことができ、第３端末セットは、残り５０個の端末を含むことができる。基地局は、第１端末セットに対して第１時間遅延値を選択し、第２端末セットに対して第２時間遅延値を選択し、第３端末セットに対して第３時間遅延値を選択する。このように、基地局は時間遅延値を選択して自身のサービングする各端末セットに時間遅延値と関連した内容を知らせる。
【００５４】
基地局は各端末セットにおける端末を変更することができる。すなわち、上記の例で、基地局は、端末の速力／スピードを含む特定特性に依存している第１、第２及び第３端末セットにおいて端末を変更することができる。移動端末が速力を増加させつつ移動する時（例えば、ユーザが運転中の時）、移動端末は周波数選択性の増加を経験し、よって、基地局は小さい利得を提供するために小さい時間遅延値を選択することができる。その結果、基地局は自身のサービングする端末を端末の速度によって特定セットにグルーピングすることができる。以降、基地局は各端末セットに時間遅延値を割り当てることができる。
【００５５】
端末からの明示的なフィードバックに依存することなく実際チャネル条件を反映する改善されたＣＤＤベースの転送を具現する方法が提供される。この方法は、開ループＣＤＤベースの転送に基づいている。この方法を具現するために、２つタイプのメッセージが提案される。メッセージの数は重要でないが、好ましい特徴を具現するためのフィールドは重要である。提供された方法を用いることによって、高い移動性を有するまたはセル境界領域にある端末に対してもＣＤＤベースの転送を改善することができる。したがって、提供された方法は、システム処理量を向上させる。
【００５６】
以上の実施例は特定形態で本発明の特徴及びコンポネント（ｃｏｍｐｏｎｅｎｔｓ）を結合することによって提供される。本発明の特徴またはコンポネントは明示されない限り選択的なものとして考慮しなければならない。コンポネントまたは特徴は、他のコンポネントまたは特徴と結合せずに具現することもできる。本発明の実施例は、一部のコンポネント及び／または特徴を結合することによって提供することもできる。本発明の実施例で上述した動作の順序は変更可能である。一実施例における一部コンポネントまたは特徴は、他の実施例に含まれることもでき、他の実施例における該当のコンポネントまたは特徴に取って代わることもできる。明示的な引用関係にない請求項を結合して実施例を提供することができ、  出願後に補正を通じて新しい請求項を追加することもできることは明らかである。
【００５７】
本発明の実施例は、主として、端末及び基地局間のデータ通信関係に焦点をおいて記述した。基地局が行うとした特定動作は、必要によって上位ノード（ｕｐｐｅｒ  ｎｏｄｅ）により行われることもできる。すなわち、当業者にとっては、基地局または他の任意のネットワークノードが、端末との通信のために、基地局を含む複数のネットワークノードを含むネットワークで様々な動作を行うことができるということが明らかである。基地局という用語は、固定局（ｆｉｘｅｄ  ｓｔａｔｉｏｎ）、Ｎｏｄｅ  Ｂ、ｅＮｏｄｅ  Ｂ、アクセスポイント（ａｃｃｅｓｓ  ｐｏｉｎｔ）のような別の用語に代替可能である。端末も同様、ユーザ機器（ｕｓｅｒ  ｅｑｕｉｐｍｅｎｔ）、ターミナル（ｔｅｒｍｉｎａｌ）、モバイルターミナル（ｍｏｂｉｌｅ  ｔｅｒｍｉｎａｌ）、または移動加入者局（ｍｏｂｉｌｅ  ｓｕｂｓｃｒｉｂｅｒ  ｓｔａｔｉｏｎ：ＭＳＳ）などのような別の用語に代替可能である。
【００５８】
本発明の実施例は、ハードウェア、ファームウェア、ソフトウェア、またはこれらの任意の結合により具現することができる。本発明がハードウェアで具現される場合に、本発明の実施例は、アプリケーション特定統合回路（Ａｐｐｌｉｃａｔｉｏｎ  Ｓｅｐｅｃｉｆｉｃ  Ｉｎｔｅｇｒａｔｅｄ  Ｃｉｒｃｕｉｔｓ：ＡＳＩＣｓ）、デジタル信号プロセッサ（ＤＳＰｓ）、デジタル信号処理装置（ＤＳＰＤｓ）、プログラマブルロジック装置（ＰＬＤｓ）、フィールドプログラマブルゲートアレイ（ＦＰＧＡｓ）、プロセッサ、制御器、マイクロ制御器、マイクロプロセッサなどの一つ以上の結合により具現することができる。
【００５９】
本発明がファームウェア、ソフトウェアで具現される場合に、本発明の実施例は、上述した特徴及び動作を行うモジュール、プロセス、関数（ｆｕｎｃｔｉｏｎｓ）などの形態とすることができる。ソフトウェアコードは、メモリユニットに記憶されてプロセッサにより実行されることができる。メモリユニットは、プロセッサの内部または外部に設けられて、知られた様々な手段を用いてプロセッサとデータを交換することができる。
【００６０】
本発明は、具体的な実施例に挙げて説明してきたが、説明に用いられた用語は、説明のためのもので、制限的なものではないことが理解できる。請求項に定義された本発明の範囲を逸脱しない範囲内で様々な変更が可能であることは明らかである。
【図１】
2011521529.tif 000003
【図２】
2011521529.tif 000004
【図３】
2011521529.tif 000005
【図４】
2011521529.tif 000006
【図５】
2011521529.tif 000007
【図６】
2011521529.tif 000008
【図７】
2011521529.tif 000009
【図８】
2011521529.tif 000010
【国際調査報告】
2011521529.tif 000011
2011521529.tif 000012